(57)【要約】      （修正有）【課題】光電変換ユニットの受光面積が増大されて発電量が増大することにより、タッチ制御装置の待機時間及び使用時間を延長することができる光電変換機能を有するタッチ制御モジュールを提供する。【解決手段】光電変換機能を有するタッチ制御モジュールは、タッチ領域１及び非タッチ領域２を含む。タッチ領域１は、第１の透明基板１１、第２の透明基板１２及び光電変換ユニット１３を有する。第１の透明基板１１は、第１側１１１及び第２側１１２を有する。第２の透明基板１２は、第３側１２１及び第４側１２２を有する。タッチ領域１の第２側１１２には、第１の電極層１４が設置され、第３側１２１には、第２の電極層１５が設置される。光電変換ユニット１３は、第１の透明基板１１の第１側１１１に設けられる。【選択図】図２
0003181376.tif 000002
【実用新案登録請求の範囲】
【請求項１】
タッチ領域及び非タッチ領域を備える光電変換機能を有するタッチ制御モジュールであって、
前記タッチ領域は、第１の透明基板、第２の透明基板及び光電変換ユニットを有し、前記第１の透明基板は、第１側及び第２側を有し、前記第２の透明基板は、第３側及び第４側を有し、前記タッチ領域の前記第２側には、第１の電極層が設置され、前記第３側には、第２の電極層が設置され、前記光電変換ユニットは、前記第１の透明基板の第１側に設けられ、
前記非タッチ領域は、前記タッチ領域の周囲に隣接して設置され、前記第１の電極層に電気的に接続される第１の電極配線層と、前記第２の電極層に電気的に接続される第２の電極配線層と、を有することを特徴とする光電変換機能を有するタッチ制御モジュール。
【請求項２】
前記タッチ領域は、前記第１の透明基板と前記第２の透明基板との間に設けられるコロイド層をさらに有し、前記コロイド層は、光学樹脂又は光学接着剤であることを特徴とする請求項１に記載の光電変換機能を有するタッチ制御モジュール。
【請求項３】
前記光電変換ユニットは、反射防止層及び光吸収層を有し、前記光吸収層の両側は、第１の透明電極層と第２の透明電極層とを有し、前記反射防止層は、前記第１の透明電極層の前記光吸収層と反対側の側面に設けられることを特徴とする請求項１に記載の光電変換機能を有するタッチ制御モジュール。
【請求項４】
前記第１の透明基板及び前記第２の透明基板は、前記非タッチ領域まで延伸し、前記第１の電極配線層は、前記第１の透明基板の前記第２側に対応する位置に設置され、前記第２の電極配線層は、前記第２の透明基板の前記第３側に対応する位置に設置されることを特徴とする請求項１に記載の光電変換機能を有するタッチ制御モジュール。
【請求項５】
前記非タッチ領域は、遮蔽層をさらに有し、前記遮蔽層は、前記第１の電極配線層の前記第１の透明基板と反対側の側面に設けられることを特徴とする請求項４に記載の光電変換機能を有するタッチ制御モジュール。
【請求項６】
前記非タッチ領域は、第１の導電接着層、第２の導電接着層及びフレキシブル回路基板をさらに有し、前記第１の導電接着層は、前記第１の電極配線層の前記第１の透明基板と反対側の側面に設けられ、前記第２の導電接着層は、前記第２の電極配線層の前記第２の透明基板と反対側の側面に設けられ、前記フレキシブル回路基板は、前記第１の導電接着層と前記第２の導電接着層との間に設けられることを特徴とする請求項４に記載の光電変換機能を有するタッチ制御モジュール。
【請求項７】
前記光電変換ユニットは、フィルム型太陽電池から構成されることを特徴とする請求項１に記載の光電変換機能を有するタッチ制御モジュール。
【請求項８】
前記第１の透明基板及び前記第２の透明基板は、ポリエチレンテレフタラート、ポリカーボネート、ポリエチレン、ポリ塩化ビニル、ポリプロピレン、ポリスチレン、ポリメチルメタクリレート、環状オレフィンコポリマー又はガラスからなることを特徴とする請求項１に記載の光電変換機能を有するタッチ制御モジュール。
【請求項９】
前記第１の電極層及び前記第２の電極層は、ゲル塗布、鍍金、蒸着又はスパッタリングによって形成されるフィルム構造であり、前記フィルム構造は、酸化インジウムスズ（ＩＴＯ）フィルム、酸化アンチモンスズ（ＡＴＯ）フィルム又は酸化インジウム亜鉛（ＩＺＯ）フィルムであることを特徴とする請求項１に記載の光電変換機能を有するタッチ制御モジュール。
【請求項１０】
前記コロイド層は、前記非タッチ領域まで延伸する上、前記第１の電極配線層と前記第２の電極配線層との間に設置されることを特徴とする請求項４に記載の光電変換機能を有するタッチ制御モジュール。
【考案の詳細な説明】
【技術分野】
【０００１】
本考案は、光電変換機能を有するタッチ制御モジュールに関し、特に、タッチ制御モジュールのタッチ領域内に光電変換ユニットが設置されることにより、光電変換ユニットの受光面積が増大されて発電量が増大し、これにより、タッチ制御装置の待機時間及び使用時間を延長することができる光電変換機能を有するタッチ制御モジュールに関する。
【背景技術】
【０００２】
従来の一般の携帯型電子装置は、電力供給が最も重要であり、電力供給により、電子装置の待機及び使用が実現される。携帯型電子装置の電力供給は、内蔵電池によって行われる。一般に、携帯型電子装置には、タッチ制御装置が結合されて使用されるため、消費電力が多く、待機時間及び使用時間が大幅に短縮される。
【０００３】
従来の携帯型電子装置の消費電力が大きい問題を解決するため、従来技術においては、太陽光発電モジュールが結合された携帯型電子装置が存在する。即ち、太陽光発電モジュールによって光電変換を行い、これによって生成された電気エネルギーを携帯型電子装置の内蔵電池中に蓄電し、携帯型電子装置の使用時間及び待機時間を延長するものである。一般に、太陽光発電モジュールは、携帯型電子装置の非タッチ領域又は携帯型電子装置のケーシング内に設置され、光線を吸収して光電変換を行う。このため、ケーシングは、透明材質である必要がある。或いは、太陽光発電モジュールをケーシング外部に突出させる必要がある。このため、製品の薄型化が困難であるという欠点を有する。
【先行技術文献】
【特許文献】
【０００４】
【特許文献１】特開２００３−１５７７９号公報
【考案の概要】
【考案が解決しようとする課題】
【０００５】
本考案の目的は、タッチ制御モジュールのタッチ領域内に光電変換ユニットが設置されることにより、光電変換ユニットの受光面積が増大されて発電量が増大し、これにより、タッチ制御装置の待機時間及び使用時間を延長することができる光電変換機能を有するタッチ制御モジュールを提供することにある。
【課題を解決するための手段】
【０００６】
上述の課題を解決するために、本考案は、光電変換機能を有するタッチ制御モジュールを提供するものである。本考案の光電変換機能を有するタッチ制御モジュールは、タッチ領域及び非タッチ領域を含む。タッチ領域は、第１の透明基板、第２の透明基板及び光電変換ユニットを有する。第１の透明基板は、第１側及び第２側を有する。第２の透明基板は、第３側及び第４側を有する。タッチ領域の第２側には、第１の電極層が設置され、第３側には、第２の電極層が設置される。光電変換ユニットは、第１の透明基板の第１側に設けられる。非タッチ領域は、タッチ領域の周囲に隣接して設置される。非タッチ領域は、第１の電極層に電気的に接続される第1の電極配線層と、第２の電極層に電気的に接続される第２の電極配線層と、を有する。
【考案の効果】
【０００７】
本考案の光電変換機能を有するタッチ制御モジュールは、タッチ制御モジュールのタッチ領域内に光電変換ユニットが設置されるため、光電変換ユニットの受光面積が増大されて発電量が増大する。これにより、タッチ制御装置の待機時間及び使用時間を延長することができる。また、タッチ領域に光電変換ユニットが設置されるため、タッチ制御モジュール全体の厚さが低減される。また、従来技術における透明のケーシングを設置し、光線を吸収して光電変換を行わなければならない欠点を改善することができる。
【図面の簡単な説明】
【０００８】
【図１】本考案の一実施形態による光電変換機能を有するタッチ制御モジュールを示す平面図である。
【図２】本考案の一実施形態による光電変換機能を有するタッチ制御モジュールを示す断面図である。
【考案を実施するための形態】
【０００９】
本考案の目的、特徴、構造及び機能上の特性を示す実施形態を図面に沿って詳細に説明する。
【００１０】
図１及び図２を参照する。図１は、本考案の一実施形態による光電変換機能を有するタッチ制御モジュールを示す平面図である。図２は、本考案の一実施形態による光電変換機能を有するタッチ制御モジュールを示す断面図である。図１及び図２に示すように、本考案の一実施形態による光電変換機能を有するタッチ制御モジュールは、タッチ領域１及び非タッチ領域２を含む。タッチ領域１は、第１の透明基板１１、第２の透明基板１２及び光電変換ユニット１３を有する。本実施形態中、第１の透明基板１１及び第２の透明基板１２は、材料がガラス及びプラスチックである場合を例示して説明を行う。しかし、第１の透明基板１１及び第２の透明基板１２の材料は、これらに限定されず、ポリエチレンテレフタラート（Ｐｏｌｙｅｔｈｙｌｅｎｅ  Ｔｅｒｅｐｈｔｈａｌａｔｅ：ＰＥＴ）、ポリカーボネート（Ｐｏｌｙｃａｒｂｏｎａｔｅ：ＰＣ）、ポリエチレン（Ｐｏｌｙｅｔｈｙｌｅｎｅ：ＰＥ）、ポリ塩化ビニル（Ｐｏｌｙｖｉｎｙｌ  Ｃｈｌｏｒｉｄｅ：ＰＶＣ）、ポリプロピレン（Ｐｏｌｙｐｒｏｐｙｌｅｎｅ：ＰＰ）、ポリスチレン（Ｐｏｌｙｓｔｙｒｅｎｅ：ＰＳ）、ポリメタクリル酸メチル（Ｐｏｌｙｍｅｔｈｙｌ  ｍｅｔｈａｃｒｙｌａｔｅ：ＰＭＭＡ）又は環状オレフィンコポリマー（ｃｙｃｌｏ  ｏｌｅｆｉｎ  ｃｏｐｏｌｙｍｅｒ：ＣＯＣ）でもよい。
【００１１】
第１の透明基板１１は、第１側１１１及び第２側１１２を有する。第２の透明基板１２は、第３側１２１及び第４側１２２を有する。タッチ領域１の第２側１１２には、第１の電極層１４が設置され、第３側１２１には、第２の電極層１５が設置される。第１の電極層１４及び第２の電極層１５は、酸化インジウムスズ（Ｉｎｄｉｕｍ  Ｔｉｎ  Ｏｘｉｄｅ：ＩＴＯ）フィルム、酸化アンチモンスズ（Ａｎｔｉｍｏｎｙ  Ｔｉｎ  Ｏｘｉｄｅ：ＡＴＯ）フィルム又は酸化インジウム亜鉛（Ｉｎｄｉｕｍ  Ｚｉｎｃ  Ｏｘｉｄｅ：ＩＺＯ）フィルムからなる。また、第１の電極層１４と第２の電極層１５とは、スパッタリングによって第２側１１２と第３側１２１とに形成されるのが好ましいが、これに限定されず、ゲル塗布、鍍金、蒸着などの方式によって側面上に形成してもよい。
【００１２】
タッチ領域１は、第１の透明基板１１と第２の透明基板１２との間に設けられるコロイド層１６をさらに有する。本実施形態中、コロイド層１６は、第１の電極層１４と第２の電極層１５との間に設置される。コロイド層１６は、光学樹脂又は光学接着剤である。
【００１３】
光電変換ユニット１３は、第１の透明基板１１の第１側１１１に設けられる。光電変換ユニット１３は、反射防止層１３１及び光吸収層１３２を有する。光吸収層１３２の両側は、第１の透明電極層１３３と第２の透明電極層１３４とを有する。反射防止層１３１は、第１の透明電極層１３３の光吸収層１３２と反対側の側面に設けられる。本実施形態中、光電変換ユニット１３は、フィルム型太陽電池から構成される。
【００１４】
非タッチ領域２は、タッチ領域１の周囲に隣接して設置される。非タッチ領域２は、第１の電極層１４に電気的に接続される第１の電極配線層２１と、第２の電極層１５に電気的に接続される第２の電極配線層２２と、を有する。タッチ領域１の第１の透明基板１１、第２の透明基板１２及びコロイド層１６は、非タッチ領域２まで延伸する。また、第１の電極配線層２１は、第１の透明基板１１の第２側１１２に対応する位置に設置される。第２の電極配線層２２は、第２の透明基板１２の第３側１２１に対応する位置に設置される。
【００１５】
非タッチ領域２は、遮蔽層２３、第１の導電接着層２４、第２の導電接着層２５及びフレキシブル回路基板２６をさらに有する。遮蔽層２３は、第１の電極配線層２１の第１の透明基板１１と反対側の側面に設けられる。また、タッチ領域１のコロイド層１６は、遮蔽層２３と第２の電極配線層２２との間まで延伸する。第１の導電接着層２４は、第１の電極配線層２１の第１の透明基板１１と反対側の側面に設けられる上、遮蔽層２３に接続される。また、第２の導電接着層２５は、第２の電極配線層２２の第２の透明基板１２と反対側の側面に設けられる。また、第１の導電接着層２４と第２の導電接着層２５との間には、フレキシブル回路基板２６が設置される。以上の構造により、タッチ制御モジュールのタッチ領域１内に光電変換ユニット１３が設置されるため、光電変換ユニット１３の受光面積が増大されて発電量が増大する。これにより、タッチ制御装置の待機時間及び使用時間を延長することができる。また、タッチ領域１に光電変換ユニット１３が設置されるため、タッチ制御モジュールの全体の厚さが低減される。また、従来技術における透明のケーシングを設置し、光線を吸収して光電変換を行わなければならない欠点を改善することができる。
【００１６】
以上の説明から分かるように、本考案は、従来技術と比較して以下（１）〜（３）に示す長所を有する。
（１）受光面積が増大される。
（２）発電量が増大する。
（３）タッチ制御装置の待機時間及び使用時間を延長することができる。
【００１７】
以上の説明は、本考案の好適な実施形態を示すものであり、本考案の特徴は、これらのみに限定されない。即ち、本考案の範囲内において当業者が容易に想到できる変更又は修飾は、全て、実用新案登録の請求範囲に含まれる。
【符号の説明】
【００１８】
１  タッチ領域
１１  第１の透明基板
１１１  第１側
１１２  第２側
１２  第２の透明基板
１２１  第３側
１２２  第４側
１３  光電変換ユニット
１３１  反射防止層
１３２  光吸収層
１３３  第１の透明電極層
１３４  第２の透明電極層
１４  第１の電極層
１５  第２の電極層
１６  コロイド層
２  非タッチ領域
２１  第１の電極配線層
２２  第２の電極配線層
２３  遮蔽層
２４  第１の導電接着層
２５  第２の導電接着層
２６  フレキシブル回路基板
【図１】
0003181376.tif 000003
【図２】
0003181376.tif 000004